(57)【特許請求の範囲】
【請求項１】
照明機器を制御する照明制御装置と、開閉可能な複数の回路を有し、前記照明機器に電力を伝達するとともに、前記照明制御装置を介して前記照明機器に対する指示を出力する分電盤とを有する照明制御システムであって、
前記回路を接続することで前記回路に電力を供給するリレー制御部と；
前記リレー制御部によって電力が供給された回路から電力が伝達される照明機器を示す情報を、前記照明制御装置を介して取得する取得部と；
前記取得部によって取得された情報に基づいて、前記回路に接続された照明機器を特定する特定部と；
を具備することを特徴とする照明制御システム。
【請求項２】
前記取得部は、
前記電力が供給された照明機器を示す情報として、電力が伝達された照明機器から当該照明機器を識別する識別情報を取得する
ことを特徴とする請求項１に記載の照明制御システム。
【請求項３】
前記取得部は、
前記電力が供給された照明機器を示す情報として、前記回路に流れる電流を示す電流情報を取得し、
前記特定部は、
前記取得部によって取得された電流情報に基づいて、前記回路に接続された照明機器を特定する
ことを特徴とする請求項１または２に記載の照明制御システム。
【請求項４】
前記特定部によって特定された照明機器の電気容量の合計値を算出する算出部と；
前記算出部によって算出された前記電気容量の合計値と、前記回路が許容する電気容量とに基づいて、アラートを通知する通知部と；
をさらに具備することを特徴とする請求項１〜３のいずれか一つに記載の照明制御システム。
【請求項５】
前記分電盤は、
前記回路に供給する電力を徐々に上げるリレー制御部と；
前記回路に流れる電流を測定する測定部と；
前記測定部によって測定された電流が所定の閾値を超えた場合に、前記電流が所定の閾値を超えた旨を通知する通知部と；
を具備することを特徴とする請求項１〜４のいずれか一つに記載の照明制御システム。
【請求項６】
前記電力を徐々に上げて供給する回路に接続されている照明機器に対して点灯する指示を出力する出力部；
をさらに具備することを特徴とする請求項５に記載の照明制御システム。
【発明の詳細な説明】
【技術分野】
【０００１】
本発明は、照明制御システムに関する。
【背景技術】
【０００２】
従来、スタジオや舞台等は、複数の照明機器により照明演出がなされており、各照明機器側に設定される制御アドレスを用いて、照明制御装置が各照明機器を遠隔制御する照明制御システムが導入されている。
【０００３】
このような照明制御システムでは、近年、ＬＥＤ照明機器等が用いられている。このような照明機器は、負荷コンセントの場所や数に依存せずどこにでも設置することができるため、どのブレーカ回路に何台の器具が接続されているか判断することが難しい。また、このような照明機器は、器具を見ただけでは電気容量を簡単に判断することができないので、器具設置時の配線接続に時間がかかり、また、使用中に電気容量をオーバーしてブレーカがトリップする場合がある。
【先行技術文献】
【特許文献】
【０００４】
【特許文献１】特開２００９−１６４０９６号公報
【特許文献２】特開２００７−６６５８５号公報
【発明の概要】
【発明が解決しようとする課題】
【０００５】
本発明が解決しようとする課題は、接続機器を容易に特定することができる照明制御システムを提供することである。
【課題を解決するための手段】
【０００６】
実施形態に係る照明制御システムは、照明機器を制御する照明制御装置と、前記照明機器に電力を伝達する複数の回路を有する分電盤とを有する照明制御システムであって、前記回路に電力を供給するリレー制御部と、前記リレー制御部によって電力が供給された回路から電力が伝達される照明機器を示す情報を取得する取得部と、前記取得部によって取得された情報に基づいて、前記回路に接続された照明機器を特定する特定部とを具備する。
【図面の簡単な説明】
【０００７】
【図１】図１は、第１の実施形態に係る照明制御システムの構成の一例を示すブロック図である。
【図２】図２は、第１の実施形態に係る照明機器およびバトン装置の機能構成の一例を示すブロック図である。
【図３】図３は、第１の実施形態に係る照明制御装置の機能構成の一例を示すブロック図である。
【図４】図４は、第１の実施形態に係るアドレス管理テーブルに格納された情報の一例を示す図である。
【図５】図５は、第１の実施形態に係る分電盤の機能構成の一例を示すブロック図である。
【図６】図６は、第１の実施形態に係る接続機器管理テーブルに格納された情報の一例を示す図である。
【図７】図７は、第１の実施形態に係る照明制御システムにおける特定処理の一例を示すフローチャートである。
【図８】図８は、第２の実施形態に係る分電盤の機能構成の一例を示すブロック図である。
【図９】図９は、第２の実施形態に係る照明制御システムにおける通知処理の一例を示すフローチャートである。
【発明を実施するための形態】
【０００８】
以下で説明する実施形態に係る照明制御システム１は、リレー制御部１３１と、取得部１３２と、特定部１３３とを具備する。リレー制御部１３１は、照明機器１０に電力を伝達する回路に電力を供給する。取得部１３２は、リレー制御部１３１によって電力が供給された回路から電力が伝達される照明機器１０を示す情報を取得する。特定部１３３は、取得部１３２によって取得された情報に基づいて、回路に接続された照明機器１０を特定する。
【０００９】
また、以下で説明する実施形態に係る照明制御システム１において、取得部１３２は、電力が供給された照明機器１０を示す情報として、電力が伝達された照明機器１０から当該照明機器１０を識別する識別情報を取得してもよい。
【００１０】
また、以下で説明する実施形態に係る照明制御システム１において、取得部１３２は、電力が供給された照明機器１０を示す情報として、回路に流れる電流を示す電流情報を取得してもよい。特定部１３３は、取得部１３２によって取得された電流情報に基づいて、回路に接続された照明機器１０を特定してもよい。
【００１１】
また、以下で説明する実施形態に係る照明制御システム２は、算出部２３４と、通知部２３５とをさらに具備してもよい。算出部２３４は、特定部１３３によって特定された照明機器１０の電気容量の合計値を算出する。通知部２３５は、算出部２３４によって算出された電気容量の合計値と、回路が許容する電気容量とに基づいて、アラートを通知してもよい。
【００１２】
また、以下で説明する実施形態に係る照明制御システム２において、分電盤２００は、回路に供給する電力を徐々に上げるリレー制御部１３１と、回路に流れる電流を測定する測定部１２１と、測定部１２１によって測定された電流が所定の閾値を超えた場合に、電流が所定の閾値を超えた旨を通知する通知部２３５を具備してもよい。
【００１３】
また、以下で説明する実施形態に係る照明制御システム２は、出力部２３６をさらに具備してもよい。出力部２３６は、電力を徐々に上げて供給する回路に接続されている照明機器１０に対して点灯する指示を出力する。
【００１４】
以下、図面を参照して、実施形態に係る照明制御システムを説明する。実施形態において同一の機能を有する構成には同一の符号を付し、重複する説明は省略する。なお、以下の実施形態で説明する照明制御システムは、一例を示すに過ぎず、実施形態を限定するものではない。例えば、以下の実施形態では、照明制御システムは、照明機器以外にも、任意の装置の制御にも適用することができる。なお、以下の各実施形態は、矛盾しない範囲内で適宜組みあわせてもよい。
【００１５】
［第１の実施形態］
（第１の実施形態に係る照明制御システムの構成）
図１は、第１の実施形態に係る照明制御システムの構成の一例を示すブロック図である。第１の実施形態に係る照明制御システム１は、複数の照明機器１０（１０−１〜１０−ｎ）、複数のバトン装置２０（２０−１〜２０−ｎ）、ハブ３０、照明制御装置５０、分電盤１００を有する。なお、照明制御システム１に接続される照明機器１０およびバトン装置２０の種別や数などは任意に設定できる。
【００１６】
照明制御システム１において、照明機器１０は、ＤＭＸ規格に従った通信プロトコルや、ＤＭＸ規格を拡張したＲＤＭ（Remote  Device  Management）規格に沿った通信方式により、バトン装置２０や照明制御装置５０と双方向通信が可能であり、バトン装置２０に接続される。また、照明機器１０は、ＬＥＤ（Light  Emitting  Diodes）等の半導体発光素子を有し、制御信号に従って、明るさ、範囲、色彩等を変化させることで、スタジオや舞台等の照明演出を行う。なお、照明機器１０としてＤＭＸ規格やＲＤＭ規格に非対応の機器（例えば、ハロゲンランプ）が、バトン装置２０に接続されてもよい。また、照明機器１０は、照明機器１０に電力を伝達する配線６０（６０−１〜６０−ｎ）を介して分電盤１００に接続される。これにより、照明機器１０は、分電盤１００から電力が供給される。
【００１７】
バトン装置２０−１〜２０−ｎは、スタジオや舞台等の任意の空間に設置された、照明機器１０−１〜１０−ｎを吊り下げ可能な装置であり、イーサネット（登録商標）等の有線または無線によるネットワークによって、双方向通信が可能な態様でハブ３０と接続される。以下の説明では、バトン装置２０−２〜２０−ｎにもバトン装置２０−１と同様に照明機器１０−１〜１０−ｎが吊り下げられているものとして、説明を省略する。
【００１８】
ハブ３０は、イーサネット（登録商標）等の有線または無線によるネットワークによって、照明制御装置５０と双方向通信が可能な態様で接続され、照明制御装置５０と各バトン装置２０−１〜２０−ｎとの通信を中継する中継器である。また、ハブ３０は、分電盤１００と双方向通信が可能な態様で接続され、照明制御装置５０と分電盤１００との間の通信を中継する。
【００１９】
照明制御装置５０は、オペレータから照明機器１０に対する操作指令を受付けると、照明機器１０−１〜１０−ｎに付与された制御アドレスを含む制御情報を生成し、ハブ３０を介してバトン装置２０−１〜２０−ｎに制御情報を送信する。そして、バトン装置２０−１〜２０−ｎは、照明制御装置５０から制御情報を受信した場合に、制御情報をＤＭＸ規格やＲＤＭ規格に沿った制御信号（例えば、調光信号等）に変換し、制御アドレスが示す照明機器に対して制御信号を出力することで、照明機器１０−１〜１０−ｎの制御を行う。このように、照明制御装置５０は、制御アドレスを用いて、照明機器１０−１〜１０−ｎを遠隔制御する。
【００２０】
分電盤１００は、照明機器１０に電力を伝達する複数の回路を有し、配線６０−１〜６０−ｎを介して各照明機器１０−１〜１０−ｎに電力を供給する。例えば、分電盤１００は、入力電圧、入力電流、漏電など電源に関する機能や、出力電流、漏電など負荷に関する機能、温度など盤内の状態に関する機能、主幹ブレーカや回路ブレーカの開閉に関する機能、各種情報の表示や操作を受け付ける機能などを有する。
【００２１】
（第１の実施形態に係る照明制御システムが実行する特定処理）
ここで、一般的な照明制御システムでは、照明機器１０としてＬＥＤ照明機器等が用いられるため、電力系統に接続されている照明機器１０を判断することが難しい。また、このような照明機器１０は、器具を見ただけでは電気容量を容易に判断することができないので、器具設置時の配線接続に時間がかかり、また、照明機器１０を使用中に許容電気容量をオーバーしてブレーカがトリップする場合がある。
【００２２】
また、一般的な照明制御システムでは、バトン装置２０−１〜２０−ｎは、照明制御装置５０と分電盤１００が別の電力系統で接続される。ここで、照明制御システムの電力系統は、照明制御装置５０のオペレータの操作によって制御情報が送信されて負荷が掛かる。このため、分電盤１００側からは電力系統に接続されている照明機器を特定することができないので、例えば照明制御装置５０と分電盤１００が離れた場所に設置されている場合には接続機器の特定に手間がかかる。
【００２３】
そこで、上述した照明制御システム１は、以下の特定処理を実行する。まず、分電盤１００は、照明機器１０に電力を伝達する複数の回路に電力を供給する。具体的には、分電盤１００は、照明機器１０に電力を伝達する回路に対応するブレーカを回路ごとにＯＮにすることで、回路に電力を供給する。これにより、ＯＮにされたブレーカに対応する回路に接続された照明機器１０は、配線６０を介して、電力が供給される。
【００２４】
続いて、分電盤１００は、電力が供給された回路から電力が伝達される照明機器１０を示す情報を取得する。具体的には、分電盤１００は、電力が供給された照明機器１０を示す情報として、電力が伝達された照明機器１０から、かかる照明機器１０を識別する識別情報を取得する。例えば、分電盤１００は、識別情報として、照明機器１０ごとに個別に付与されるＵＩＤ（Unique  Identifier）番号を取得する。
【００２５】
一例としては、分電盤１００は、ブレーカをＯＮにした回路に関する情報を、照明制御装置５０に送信する。続いて、照明制御装置５０は、ブレーカをＯＮにした回路に関する情報を分電盤１００から受信した場合に、ＵＩＤを要求するリクエストを照明機器１０に送信する。そして、ＯＮにされたブレーカに対応する回路に接続されている照明機器１０は、リクエストの応答として、かかる照明機器１０のＵＩＤを、照明制御装置５０に送信する。続いて、照明制御装置５０は、照明機器１０から受信したＵＩＤを、分電盤１００に送信する。これにより、分電盤１００は、電力が供給された照明機器１０を示す情報としてＵＩＤを取得する。
【００２６】
そして、分電盤１００は、取得された情報に基づいて、回路に接続された照明機器１０を特定する。具体的には、分電盤１００は、照明機器１０から識別情報を取得した場合に、かかる識別情報に対応する照明機器１０を、回路に接続された照明機器１０として特定する。言い換えると、分電盤１００は、ブレーカをＯＮにして照明機器１０から返信があるか否かで回路に接続された照明機器１０を特定する。
【００２７】
この結果、照明制御システム１は、ブレーカをＯＮにした回路に接続された照明機器１０を特定することができるので、接続機器を容易に特定することができる。このため、照明制御システム１は、例えば、照明制御装置５０と分電盤１００が離れた場所に設置されている場合でも、各配線６０−１〜６０−ｎに接続された照明機器１０−１〜１０−ｎを特定する手間を軽減することができる。また、照明制御システム１は、どの回路にどんな器具が接続されているか特定することができるので、電源容量の管理にかかる手間を軽減することができる。
【００２８】
（第１の実施形態に係る各装置の機能構成）
［照明機器およびバトン装置の構成］
続いて、図２を用いて、第１の実施形態に係る照明機器１０およびバトン装置２０−１の機能構成の一例を説明する。図２は、第１の実施形態に係る照明機器１０およびバトン装置２０−１の機能構成の一例を示すブロック図である。なお、以下の説明では、照明機器１０−２〜１０−ｎは、照明機器１０と同様の構成および機能を発揮するものとして、説明を省略する。また、バトン装置２０−２〜２０−ｎは、バトン装置２０−１と同様の構成および機能を発揮するものとして、説明を省略する。
【００２９】
まず、照明機器１０−１の構成について説明する。照明機器１０−１は、図２に示すように、配線６０−１を介して分電盤１００に接続され、電力が供給される。例えば、照明機器１０−１は、配線６０−１に対応するブレーカがＯＮにされた場合に、電力が供給される。第１の実施形態に係る照明機器１０−１は、記憶部１３、通信部１４、制御部１５、光源部１６を有する。
【００３０】
記憶部１３は、照明機器１０−１が有する不揮発性のメモリであり、ＨＤＤ（Hard  Disk  Drive）、ＳＳＤ（Solid  State  Drive）、フラッシュメモリ、ＲＡＭ（Random  Access  Memory）等の記憶装置により実現される。記憶部１３には、照明機器１０−１の照明機器情報が登録される。例えば、照明機器情報としては、製造会社名、機器型番、ＵＩＤ、ＤＭＸアドレスといった情報が含まれる。
【００３１】
ここで、製造会社名とは、照明機器１０の製造会社名である。機器型番とは、製造会社によって定められた照明機器１０の型番である。ＵＩＤとは、ＲＤＭ規格で用いられる装置ごとに固有の番号であり、各照明機器１０−１〜１０−ｎに予め付与される１２桁の１６進数で表される情報である。また、ＤＭＸアドレスとは、ＤＭＸのデータリンク上におけるアドレス、すなわち、照明制御装置５０が照明機器１０を制御する際に用いる制御アドレスである。
【００３２】
通信部１４は、照明機器１０−１と照明制御装置５０との間の通信を制御する通信装置であり、例えば、ＮＩＣ等により実現される。具体的には、通信部１４は、所定の有線コネクタを介し、ＲＤＭ規格に沿った通信方式でバトン装置２０−１との間で信号の送受信を行う有線通信機能と、無線ＬＡＮ等の無線通信網を介して、照明制御装置５０と通信を行う無線通信機能とを有する。
【００３３】
制御部１５は、各照明機器１０が有する光源の制御を行うデバイスである。例えば、照明制御装置５０は、照明機器１０−１の照明態様を制御する場合に、バトン装置２０−１を介して、照明機器１０−１に設定された制御アドレスと制御内容とを示す制御信号を照明機器１０−１に出力する。このような場合、制御部１５は、バトン装置２０−１から受信した制御信号に従って、光源部１６を制御する。
【００３４】
また、照明制御装置５０は、各照明機器１０−１〜１０−ｎの照明機器情報を収集する場合に、無線通信網を介して、各照明機器１０−１〜１０−ｎに照明機器情報の送信を要求する送信要求を送信する。このような場合、制御部１５は、通信部１４を介して送信要求を受信すると、記憶部１３から照明機器情報１３−１を読出し、無線通信網を介して、読み出した照明機器情報１３−１を照明制御装置５０に送信する。
【００３５】
また、分電盤１００は、ブレーカをＯＮにして照明機器１０−１に電力を供給する。このような場合、照明制御装置５０は、電力が供給された照明機器１０−１を示す情報を要求するリクエストを照明機器１０に送信する。そして、制御部１５は、通信部１４を介して、電力が供給された照明機器１０−１を示す情報を送信する。具体的には、制御部１５は、電力が供給された照明機器１０−１を示す情報として、照明機器１０−１を識別する識別情報を送信する。例えば、制御部１５は、識別情報として、照明機器１０−１のＵＩＤを、照明制御装置５０に送信する。そして、照明制御装置５０は、照明機器１０−１から受信したＵＩＤを、分電盤１００に送信する。なお、分電盤１００は、ＵＩＤを要求するリクエストを照明機器１０−１に送信することで照明制御装置５０を介さずにＵＩＤを取得してもよい。
【００３６】
光源部１６は、照明機器１０−１が有する光源であり、制御部１５の制御に従って、照度、照明する範囲、色彩等を制御可能なＬＥＤ等の半導体発光素子により実現される。なお、光源部１６は、いわゆるハロゲンランプ等であってもよい。
【００３７】
次に、バトン装置２０−１の構成について説明する。第１の実施形態に係るバトン装置２０−１は、通信部２３および複数のポート２４−１〜２４−ｎを有する。通信部２３は、ハブ３０を介して、制御情報と制御信号との変換を行うことで、照明機器１０−１〜１０−ｎや照明制御装置５０との間の通信を中継する通信装置であり、例えば、ＮＩＣ等の通信装置によって実現される。
【００３８】
ポート２４−１〜２４−ｎは、それぞれを識別するためのポート番号「１」〜「ｎ」が付与されたポートであり、例えば、ＲＤＭ規格に従って照明機器１０−１〜１０−ｎと信号を送受信するための所定のコネクタである。
【００３９】
［照明制御装置の構成］
続いて、図３を用いて、第１の実施形態に係る照明制御装置５０の機能構成の一例を説明する。図３は、第１の実施形態に係る照明制御装置５０の機能構成の一例を示すブロック図である。第１の実施形態に係る照明制御装置５０は、通信部５１、操作部５２、記憶部５３、表示部５４、制御部５５を有する。
【００４０】
通信部５１は、照明機器１０や分電盤１００との間の通信を制御する通信装置であり、例えば、ＮＩＣ等により実現される。具体的には、通信部５１は、ハブ３０及びバトン装置２０を介して、照明機器１０との間でＲＤＭ規格に沿った通信方式で情報の送受信を行う有線通信機能と、無線ＬＡＮ等の無線通信網を介して、照明機器１０との間で通信を行う無線通信機能とを有する。
【００４１】
操作部５２は、各照明機器１０−１〜１０−ｎに対する操作を受付ける。例えば、操作部５２は、各照明機器１０−１〜１０−ｎの照度を変更する操作を受付ける複数のフェーダを有する。なお、各フェーダには、それぞれ個別のフェーダ番号が付与されているものとする。また、操作部５２は、タッチパネル等を利用して構成することもできる。
【００４２】
記憶部５３は、ＨＤＤ、ＳＳＤ、フラッシュメモリ、ＲＡＭ等の記憶装置により実現される。具体的には、記憶部５３は、アドレス管理テーブル５３ａを記憶する。アドレス管理テーブル５３ａには、各照明機器１０−１〜１０−ｎに関する各種の情報が登録される。この点について図４を用いて説明する。
【００４３】
図４は、第１の実施形態に係るアドレス管理テーブル５ａに格納される情報の一例を示す図である。図４に示すように、アドレス管理テーブル５ａには、制御アドレスと照明機器１０に関する情報とが対応付けて登録される。
【００４４】
ここで、「制御アドレス」は、対応付けられた識別情報が示す照明機器１０を制御する際に用いられる制御アドレス、すなわちＤＭＸアドレスである。「識別情報」は、各照明機器１０−１〜１０−ｎを識別するための情報であり、例えば、ＵＩＤである。「器具情報」は、照明機器１０の種類や消費電力など機器の特徴を示す情報である。「接続状況」は、照明機器１０が接続されている回路に関する情報である。例えば、「接続状況」は、照明機器１０が回路に接続されている場合には、回路の配線を示す情報が記憶される。一方、「接続状況」は、照明機器１０が回路に接続されていない場合には、ブランクとなる。
【００４５】
例えば、図４に示す例では、制御アドレス「１１」、識別情報「ＵＩＤ１」、器具情報「スポットライト、１ｋＷ」、接続状況「６０−１」が対応付けて登録されている。この情報は、識別情報「ＵＩＤ１」が示す照明機器に制御アドレス「１１」が設定されている旨を示す。また、この情報は、識別情報「ＵＩＤ１」が示す照明機器（例えば、照明機器１０−１）が消費電力「１ｋＷ」の「スポットライト」であり、配線「６０−１」に対応する回路に接続されている旨を示す。また、図４に示す例では、制御アドレス「１３」には、照明機器１０が回路に接続されていない旨を示す。
【００４６】
図３に戻り説明を続ける。表示部５４は、後述する制御部５５による制御に従い、照明制御装置５０に接続された各照明機器１０−１〜１０−ｎに設定された制御アドレスや、各照明機器１０−１〜１０−ｎが接続されている回路の配線に関する情報、各照明機器１０−１〜１０−ｎに対する操作を受付けるフェーダの情報などを表示する表示装置であり、例えば、液晶モニタやタッチパネル等により実現される。
【００４７】
制御部５５は、各照明機器１０−１〜１０−ｎを制御するデバイスである。制御部５５としては、ＣＰＵ（Central  Processing  Unit）、ＭＰＵ（Micro  Processing  Unit）等の電子回路や、ＡＳＩＣ（Application  Specific  Integrated  Circuit）、ＦＰＧＡ（Field  Programmable  Gate  Array）等の集積回路を採用できる。制御部５５は、各種の処理手順を規定したプログラムや制御データを格納するための内部メモリを有し、これらによって種々の処理を実行する。制御部５５は、各種のプログラムが動作することにより各種の処理部として機能する。
【００４８】
例えば、制御部５５は、電力が供給された照明機器１０を示す情報を要求するリクエストを照明機器１０に送信する。一例としては、制御部５５は、分電盤１００によってブレーカがＯＮにされた回路の配線に関する情報を受信した場合に、電力が供給された照明機器１０を識別する識別情報を要求するリクエストを照明機器１０に送信する。そして、制御部５５は、照明機器１０から受信した識別情報を、分電盤１００に送信する。
【００４９】
また、制御部５５は、各照明機器１０−１〜１０−ｎの接続状況に関する情報をアドレス管理テーブル５３ａに登録する。具体的には、制御部５５は、通信部５１を介して、電力が供給された回路から電力が伝達される照明機器１０を示す情報を受信した場合に、受信した情報に基づいて照明機器１０の接続状況に関する情報をアドレス管理テーブル５３ａに登録する。例えば、制御部５５は、配線６０−１に対応するブレーカがＯＮにされた際に、電力が供給された回路から電力が伝達される照明機器１０を示す情報として識別情報「ＵＩＤ１」を受信した場合に、アドレス管理テーブル５３ａに記憶された識別情報「ＵＩＤ１」に対応する接続状況に「６０−１」を登録する。なお、制御部５５は、例えば、ＲＤＭプロトコルを利用してＵＩＤから器具の種類や消費電力などといった器具情報を取得し、取得した器具情報を識別情報に対応付けてアドレス管理テーブル５３ａに登録してもよい。
【００５０】
また、制御部５５は、制御アドレスを用いて、各照明機器１０−１〜１０−ｎの制御を行う。例えば、制御部５５は、いずれかのフェーダが操作を受付けた場合は、操作内容と、操作を受付けたフェーダのフェーダ番号と対応付けられた制御アドレスとを示す制御信号を生成し、生成した制御信号を照明機器１０に出力する。この結果、操作を受付けたフェーダと対応付けられた照明機器１０は、制御信号に従って、照明態様の制御を行う。
【００５１】
上述した照明制御装置５０は、ＣＰＵとＲＡＭ、ＥＥＰＲＯＭ，フラッシュメモリなどを有するコンピュータが、所定の記録媒体に登録された制御プログラムを読み取り、読み取った制御プログラムを実行することにより、実現されてもよい。
【００５２】
［分電盤の構成］
続いて、図５を用いて、第１の実施形態に係る分電盤１００の機能構成の一例を説明する。図５は、第１の実施形態に係る分電盤１００の機能構成の一例を示すブロック図である。第１の実施形態に係る分電盤１００は、通信部１１０、記憶部１２０、測定部１２１、表示部１２２、電源部１２３、ブレーカ１２４（１２４−１〜１２４−ｎ）、開閉制御部１２５（１２５−１〜１２５−ｎ）、制御部１３０を有する。
【００５３】
通信部１１０は、照明制御装置５０との間の通信を制御する通信装置であり、例えば、ＮＩＣ等により実現される。具体的には、通信部１１０は、照明制御装置５０との間で情報の送受信を行う通信機能を有する。例えば、通信部１１０は、ブレーカがＯＮにされた回路の配線に関する情報を送信する通信や、照明制御装置５０から照明機器１０の識別情報を受信する通信を行なう。
【００５４】
記憶部１２０は、ＨＤＤ、ＳＳＤ、フラッシュメモリ、ＲＡＭ等の記憶装置により実現される。具体的には、記憶部１２０は、接続機器管理テーブル１２０ａを記憶する。接続機器管理テーブル１２０ａには、各照明機器１０−１〜１０−ｎの接続状況に関する情報が登録される。この点について図６を用いて説明する。
【００５５】
図６は、第１の実施形態に係る接続機器管理テーブル１２０ａに格納される情報の一例を示す図である。図６に示すように、接続機器管理テーブル１２０ａには、制御アドレスと照明機器１０の接続状況に関する情報とが対応付けて登録される。
【００５６】
ここで、「制御アドレス」は、対応付けられた識別情報が示す照明機器１０を制御する際に用いられる制御アドレス、すなわちＤＭＸアドレスである。「識別情報」は、各照明機器１０−１〜１０−ｎを識別するための情報であり、例えば、ＵＩＤである。「器具情報」は、照明機器１０の種類や消費電力など機器の特徴を示す情報である。「接続状況」は、照明機器１０が接続されている回路に関する情報である。例えば、「接続状況」は、照明機器１０が回路に接続されている場合には、回路の配線を示す情報が記憶される。一方、「接続状況」は、照明機器１０が回路に接続されていない場合には、ブランクとなる。
【００５７】
例えば、図６に示す例では、制御アドレス「１１」、識別情報「ＵＩＤ１」、器具情報「スポットライト、１ｋＷ」、接続状況「６０−１」が対応付けて登録されている。この情報は、識別情報「ＵＩＤ１」が示す照明機器に制御アドレス「１１」が設定されている旨を示す。また、この情報は、識別情報「ＵＩＤ１」が示す照明機器（例えば、照明機器１０−１）が消費電力「１ｋＷ」の「スポットライト」であり、配線「６０−１」に対応する回路に接続されている旨を示す。また、図６に示す例では、制御アドレス「１３」には、照明機器１０が回路に接続されていない旨を示す。
【００５８】
図５に戻り説明を続ける。測定部１２１は、各ブレーカ１２４−１〜１２４−ｎを介して供給された電力量、すなわち、配線６０を介して供給された電力量を計測する。具体的には、測定部１２１は、回路に流れる電流の電流値を測定する。例えば、測定部１２１は、後述するリレー制御部１３１による制御に従ってブレーカ１２４がＯＮにされた際に回路に流れる電流の電流値を測定する。
【００５９】
表示部１２２は、制御部１３０による制御に従い、各照明機器１０−１〜１０−ｎが接続されている回路に関する情報や、各照明機器１０−１〜１０−ｎに設定された制御アドレス、ブレーカ１２４に対する操作を受付ける情報などを表示する。例えば、表示部１２２は、液晶モニタやタッチパネル等の表示装置により実現される。
【００６０】
電源部１２３は、電力を供給する電源装置である。具体的には、電源部１２３は、各照明機器１０−１〜１０−ｎに電力を供給する。例えば、電源部１２３は、後述するリレー制御部１３１による制御に従ってブレーカ１２４がＯＮにされた場合に、かかるブレーカ１２４に対応する配線６０に接続された照明機器１０に電力の供給を開始する。
【００６１】
ブレーカ１２４は、後述する開閉制御部１２５による制御に従って、配線６０の電力供給を制御する。また、ブレーカ１２４は、電流の量が所定値を超えると電力供給を遮断する。例えば、ブレーカ１２４は、消費電力の増加や漏電等により、配線を介して供給される電力が予め設定された所定の閾値を超えた場合に、電力供給を遮断する。
【００６２】
開閉制御部１２５は、後述するリレー制御部１３１による制御に従って回路の開閉を制御する。具体的には、開閉制御部１２５は、リレー制御部１３１からブレーカ１２４をＯＮにする指示が出力された場合に、ブレーカ１２４に対応する配線６０の接続を閉じて電力を供給する。これにより、ブレーカ１２４に対応する配線６０に接続された照明機器１０は、電力が供給されて点灯する。一方、開閉制御部１２５は、リレー制御部１３１からブレーカ１２４をＯＦＦにする指示が出力された場合に、ブレーカ１２４に対応する配線６０の接続を開放して電力供給を遮断する。これにより、ブレーカ１２４に対応する配線６０に接続された照明機器１０は、電力が供給されなくなり消灯する。
【００６３】
制御部１３０は、各照明機器１０−１〜１０−ｎを制御するデバイスである。制御部１３０としては、ＣＰＵ、ＭＰＵ等の電子回路や、ＡＳＩＣ、ＦＰＧＡ等の集積回路を採用できる。制御部１３０は、各種の処理手順を規定したプログラムや制御データを格納するための内部メモリを有し、これらによって種々の処理を実行する。制御部１３０は、各種のプログラムが動作することにより各種の処理部として機能する。具体的には、制御部１３０は、リレー制御部１３１、取得部１３２、特定部１３３を有する。
【００６４】
リレー制御部１３１は、回路への電力供給を制御する。具体的には、リレー制御部１３１は、照明機器１０に電力を伝達する回路に電力を供給する。例えば、リレー制御部１３１は、回路に対応するブレーカをＯＮにすることで、回路に電力を供給する。一例としては、リレー制御部１３１は、ブレーカ１２４をＯＮにする指示を開閉制御部１２５に出力することで、ブレーカ１２４に対応する配線６０に電力を供給する。
【００６５】
取得部１３２は、各種の情報を取得する。具体的には、取得部１３２は、リレー制御部１３１によって電力が供給された回路から電力が伝達される照明機器１０を示す情報を取得する。より具体的には、取得部１３２は、電力が供給された照明機器を示す情報として電力が伝達された照明機器１０を識別する識別情報を、照明制御装置５０を介して取得する。例えば、取得部１３２は、まず、リレー制御部１３１がブレーカをＯＮにした回路の配線に関する情報を照明制御装置５０に送信する。そして、照明制御装置５０は、ブレーカをＯＮにした回路に関する情報を分電盤１００から受信した場合に、照明機器１０の識別情報を要求するリクエストを照明機器１０に送信する。その後、ＯＮにされたブレーカに対応する回路に接続されている照明機器１０は、リクエストの応答として、かかる照明機器１０の識別情報を、照明制御装置５０に送信する。そして、照明制御装置５０は、照明機器１０から受信した識別情報を、分電盤１００に送信する。これにより、取得部１３２は、照明機器１０の識別情報を取得する。一例としては、取得部１３２は、識別情報として、照明機器１０ごとに個別に付与されるＵＩＤを取得する。
【００６６】
特定部１３３は、回路に接続された接続機器を特定する。具体的には、特定部１３３は、取得部１３２によって取得された情報に基づいて、回路に接続された照明機器１０を特定する。例えば、特定部１３３は、取得部１３２によって取得された識別情報が示す照明機器１０を、回路に接続された照明機器１０として特定する。一例としては、特定部１３３は、取得部１３２によって取得されたＵＩＤに対応する照明機器１０を、ＯＮにされたブレーカに対応する回路に接続された照明機器１０として特定する。
【００６７】
また、特定部１３３は、特定した照明機器１０に関する情報を、接続機器管理テーブル１２０ａに登録する。具体的には、特定部１３３は、特定した照明機器１０に対応する識別情報と、接続機器管理テーブル１２０ａの接続状況とを対応付けて登録する。例えば、特定部１３３は、取得したＵＩＤと対応付けて、回路の配線を示す情報を「接続状況」に登録する。これにより、特定部１３３は、各照明機器１０−１〜１０−ｎの接続状況を特定することができる。
【００６８】
上述した制御部１３０は、ＣＰＵとＲＡＭ、ＥＥＰＲＯＭ，フラッシュメモリなどを有するコンピュータが、所定の記録媒体に登録された制御プログラムを読み取り、読み取った制御プログラムを実行することにより、実現されてもよい。
【００６９】
［第１の実施形態に係る照明制御システムの処理手順］
次に、図７を用いて、第１の実施形態に係る照明制御システム１による特定処理の流れについて説明する。図７は、第１の実施形態に係る照明制御システム１における特定処理の一例を示すフローチャートである。
【００７０】
具体的には、照明制御システム１は、まず、照明機器１０に電力を伝達する回路に電力を供給する（ステップＳ１０１）。例えば、照明制御システム１は、回路に対応するブレーカをＯＮにすることで、回路に電力を供給する。
【００７１】
そして、照明制御システム１は、電力が供給された回路から電力が伝達される照明機器１０を示す情報を取得する（ステップＳ１０２）。例えば、照明制御システム１は、電力が供給された照明機器１０を示す情報として、電力が伝達された照明機器１０から照明機器１０を識別する識別情報を取得する。
【００７２】
そして、照明制御システム１は、取得された電力が伝達される照明機器１０を示す情報に基づいて、回路に接続された照明機器１０を特定する（ステップＳ１０３）。例えば、照明制御システム１は、取得された識別情報が示す照明機器１０を、回路に接続された照明機器１０として特定する。
【００７３】
続いて、照明制御システム１は、特定した照明機器１０に関する情報を登録する（ステップＳ１０４）。具体的には、照明制御システム１は、特定した照明機器１０に対応する識別情報と、接続機器管理テーブル１２０ａの接続状況とを対応付けて登録する。例えば、照明制御システム１は、照明機器１０に対応する識別情報と対応付けて、回路の配線を示す情報を接続機器管理テーブル１２０ａの接続状況に登録する。
【００７４】
［第１の実施形態の効果］
上述してきたように、第１の実施形態に係る照明制御システム１によれば、ブレーカをＯＮにするだけで回路に接続された照明機器１０を特定することができるので、接続機器を容易に特定することができる。このため、照明制御システム１は、例えば、照明制御装置５０と分電盤１００が離れた場所に設置されている場合でも、接続機器を特定する手間を軽減することができる。また、照明制御システム１は、どの回路にどんな器具が接続されているか特定することができるので、電源容量の管理にかかる手間を軽減することができる。
【００７５】
［第１の実施形態の変形例］
（１．電流情報を用いて接続機器を特定）
上記第１の実施形態では、照明制御システム１は、電力が供給された照明機器１０を示す情報として電力が伝達された照明機器１０から照明機器１０を識別する識別情報を用いて、回路に接続された照明機器１０を特定する例を示した。ここで、照明制御システム１は、識別情報に限らず、回路に流れる電流を示す電流情報を用いて、回路に接続された照明機器１０を特定してもよい。
【００７６】
具体的には、照明制御システム１は、電力が供給された照明機器１０を示す情報として、回路に流れる電流を示す電流情報を取得する。より具体的には、照明制御システム１は、照明機器１０を１つずつ点灯させる調光制御を行なう。例えば、照明制御システム１は、分電盤１００が照明機器１０を１つずつ点灯させる指示を照明制御装置５０に出力し、照明制御装置５０が照明機器１０を１つずつ点灯させる指示を照明機器１０に出力することで調光制御を行なう。なお、照明制御システム１は、これに限らず、分電盤１００が照明機器１０を１つずつ点灯させる指示を照明機器１０に対して直接出力することで調光制御を行なってもよい。そして、照明制御システム１は、電流情報として、各照明機器１０を点灯させた際に測定部１２１によって測定される回路に流れる電流の電流値をそれぞれ取得する。ここで、照明制御システム１は、一例としては、取得した電流値を、照明機器１０と対応づけて記憶する。
【００７７】
そして、照明制御システム１は、取得された電流情報に基づいて、回路に接続された照明機器を特定する。具体的には、照明制御システム１は、照明機器１０が接続された回路の電流値変化に基づいて、回路に接続された照明機器１０を特定する。例えば、照明制御システム１は、制御対象の照明機器１０を点灯させた際に測定部１２１によって測定される電流値が点灯前の電流値と比較して上昇している場合に、かかる照明機器１０を回路に接続された照明機器１０として特定する。また、照明制御システム１は、全ての照明機器１０に対して上記の処理を繰り返し実行することで、全ての照明機器１０の接続状況を特定する。
【００７８】
これにより、照明制御システム１は、回路に流れた電流の電流値から接続機器を特定することができるので、接続機器を容易に特定することができる。例えば、照明制御システム１は、照明機器１０が情報返信機能を有さない場合であっても回路に電流を流すだけで接続機器を容易に特定することができるので、接続機器を特定する手間を軽減することができる。このため、照明制御システム１は、照明機器１０としてＬＥＤとハロゲンランプなど異なる複数の種類の機器が採用されていても接続機器を容易に特定することができる。また、照明制御システム１は、照明機器１０の未接続や繋ぎ間違えなどを半自動的に確認することができるので、照明機器１０の仕込み、つり込みの確認作業時間の短縮や本番運用時のトラブルを防止することができる。また、照明制御システム１は、照明機器１０に電力を供給すれば接続機器を特定することができるので、明かりをつけることなく接続機器を特定することができる。このため、照明制御システム１は、照明機器１０が設置された舞台等の状況に左右されることなく接続機器を特定することができる。
【００７９】
（２．ブレーカをＯＦＦにして接続機器を特定）
上記第１の実施形態では、照明制御システム１は、照明機器１０に電力を伝達する回路に対応するブレーカを回路ごとにＯＮにすることで回路に電力を供給し、回路に接続された照明機器１０を特定する例を示した。ここで、照明制御システム１は、上記の方法に限らず、ブレーカをＯＦＦにすることで接続機器を特定してもよい。
【００８０】
具体的には、照明制御システム１は、まず、全てのブレーカをＯＮにすることで全ての回路に電力を供給する。続いて、照明制御システム１は、ブレーカを回路ごとにＯＦＦにすることで回路ごとに電力供給を遮断する。そして、照明制御システム１は、電力が伝達される照明機器１０を示す情報を照明機器１０から取得できなくなった場合に、かかる照明機器１０を回路に接続された照明機器１０として特定する。言い換えると、照明制御システム１は、ブレーカをＯＦＦにすることで情報が返ってこなくなったか否かで回路に接続されている照明機器１０を特定する。
【００８１】
これにより、照明制御システム１は、ブレーカをＯＮからＯＦＦに切り替えるだけで回路に接続された照明機器１０を特定することができるので、接続機器を容易に特定することができる。このため、照明制御システム１は、接続機器を特定する手間を軽減することができるので、接続機器の管理を容易にすることができる。
【００８２】
［第２の実施形態］
上記の第１の実施形態では、照明制御システム１は、電力が供給された回路から電力が伝達される照明機器１０を示す情報に基づいて回路に接続された照明機器１０を特定する場合を説明したが、これに限定されない。具体的には、照明制御システム１では、接続機器の電気容量を算出してアラート通知を行なってもよい。
【００８３】
（第２の実施形態に係る照明制御システムの機能構成）
例えば、第２の実施の形態では、照明制御システム２は、複数の照明機器１０（１０−１〜１０−ｎ）、複数のバトン装置２０（２０−１〜２０−ｎ）、ハブ３０、照明制御装置５０、分電盤２００を有する。言い換えると、照明制御システム２は、照明制御システム１と比較して、分電盤１００にない機能をさらに有する分電盤２００を具備する。この点について、図８を用いて詳細に説明する。なお、上記の実施の形態と同様の機能を発揮する機能部については同一の符号を付し、その説明を省略することとする。
【００８４】
（第２の実施形態に係る分電盤の機能構成）
図８は、第２の実施形態に係る分電盤２００の構成例を示す図である。図８に示すように、分電盤２００は、分電盤１００と比較して、算出部２３４と通知部２３５と出力部２３６とをさらに有する制御部２３０を具備する。
【００８５】
算出部２３４は、照明機器１０の電気容量に関する情報を算出する。具体的には、算出部２３４は、特定部１３３によって特定された照明機器１０の電気容量の合計値を算出する。例えば、算出部２３４は、取得部１３２によって取得された各ＵＩＤに基づいて各照明機器１０の最大使用電気容量を抽出し、抽出した最大使用電気容量を合算することで接続機器の電気容量の合計値を算出する。なお、算出部２３４は、一例としては、各ＵＩＤを予め用意されている器具データと照合することで各照明機器１０の最大使用電気容量を抽出する。
【００８６】
通知部２３５は、各種の情報を通知する。具体的には、通知部２３５は、算出部２３４によって算出された電気容量の合計値と、回路が許容する電気容量とに基づいて、アラートを通知する。例えば、通知部２３５は、算出部２３４によって算出された電気容量の合計値が、回路が許容する電気容量を超える場合にアラートを通知する。一例としては、通知部２３５は、接続機器の電気容量が回路の許容電気容量を超える旨を表示部１２２に表示することでアラートを通知する。
【００８７】
出力部２３６は、照明機器１０に対する各種の指示を出力する。具体的には、出力部２３６は、リレー制御部１３１の制御に従って電力が供給された回路に接続されている照明機器１０に対して点灯する指示を出力する。例えば、出力部２３６は、電力が供給された回路に接続されている照明機器１０に対して点灯する指示を照明制御装置５０に対して出力する。そして、照明制御装置５０は、点灯する指示を照明機器１０に出力することで、照明機器１０が点灯する。
【００８８】
［第２の実施形態に係る照明制御システムの処理手順］
次に、図９を用いて、第２の実施形態に係る照明制御システム２による通知処理の流れについて説明する。図９は、第２の実施形態に係る照明制御システム２における通知処理の一例を示すフローチャートである。
【００８９】
具体的には、照明制御システム２は、まず、照明機器１０に電力を伝達する回路に電力を供給する（ステップＳ２０１）。例えば、照明制御システム２は、回路に対応するブレーカをＯＮにすることで、回路に電力を供給する。
【００９０】
そして、照明制御システム２は、電力が供給された回路から電力が伝達される照明機器１０を示す情報を取得する（ステップＳ２０２）。例えば、照明制御システム２は、電力が供給された照明機器１０を示す情報として、電力が伝達された照明機器１０から照明機器１０を識別する識別情報を取得する。
【００９１】
そして、照明制御システム２は、取得された電力が伝達される照明機器１０を示す情報に基づいて、回路に接続された照明機器１０を特定する（ステップＳ２０３）。例えば、照明制御システム２は、取得された識別情報が示す照明機器１０を、ＯＮにされたブレーカに対応する回路に接続された照明機器１０として特定する。ここで、照明制御システム２は、特定した照明機器１０に関する情報を登録する。具体的には、照明制御システム２は、特定した照明機器１０に対応する識別情報と、接続機器管理テーブル１２０ａの接続状況とを対応付けて登録する。例えば、照明制御システム２は、照明機器１０に対応する識別情報と対応付けて、回路の配線を示す情報を接続機器管理テーブル１２０ａの接続状況に登録する。
【００９２】
続いて、照明制御システム２は、特定された照明機器１０の電気容量の合計値を算出する（ステップＳ２０４）。例えば、照明制御システム２は、取得部１３２によって取得された各ＵＩＤに基づいて各照明機器１０の最大使用電気容量を抽出し、抽出した最大使用電気容量を合算することで接続機器の電気容量の合計値を算出する。
【００９３】
そして、照明制御システム２は、算出された電気容量の合計値と、回路が許容する電気容量とに基づいて、アラートを通知する（ステップＳ２０５）。例えば、照明制御システム２は、算出された電気容量の合計値が、回路が許容する電気容量を超える場合にアラートを通知する。
【００９４】
［第２の実施形態の効果］
上述してきたように、第２の実施形態に係る照明制御システム２によれば、接続機器の電気容量の合計値を容易に把握することができる。また、照明制御システム２は、接続機器の電気容量が回路の許容電気容量をオーバーしているか否かを容易に判定することができるので、事故を回避することができる。
【００９５】
［第２の実施形態の変形例］
（１．負荷に応じた制御）
上記第２の実施形態では、照明制御システム２は、特定部１３３によって特定された照明機器１０の電気容量の合計値を算出し、算出された電気容量の合計値と回路が許容する電気容量とに基づいてアラートを通知する例を示した。ここで、照明制御システム２は、各種の情報に基づいて負荷に応じた制御を行なってもよい。
【００９６】
具体的には、照明制御システム２の分電盤２００は、回路に流れる電流に基づいて通知を行なってもよい。例えば、分電盤２００は、回路に供給する電力を徐々に上げる。一例としては、分電盤２００の出力部２３６は、電力を徐々に上げて供給する回路に接続されている照明機器１０に対して点灯する指示を出力する。一態様としては、分電盤２００の出力部２３６は、照明制御装置５０を介して、照明機器１０に対して点灯する指示を出力する。
【００９７】
そして、分電盤２００は、回路に流れる電流を測定する。例えば、分電盤２００は、測定部１２１によって回路に流れる電流の電流値を測定する。そして、分電盤２００は、測定した回路に流れる電流の電流値を負荷電流値として記憶部１２０に記憶する。
【００９８】
そして、分電盤２００は、測定された電流が所定の閾値を超えた場合に、電流が所定の閾値を超えた旨を通知する。ここで、所定の閾値は、例えば、上限値の８０％くらいなど上限値より少し下の値が設定される。例えば、分電盤２００は、記憶部１２０に記憶された回路に流れる電流の電流値と予め設定された所定の閾値とを比較し、回路に流れる電流の電流値が所定の閾値を超える場合に、電流が所定の閾値を超えた旨を表示部１２２に表示することで通知する。
【００９９】
また、分電盤２００は、負荷に応じてブレーカの制御を行なってもよい。例えば、分電盤２００は、測定された電流が所定の閾値を超えた場合に、回路を開放して電力の供給を遮断し、照明機器１０を消灯する。一方、分電盤２００は、測定された電流が所定の閾値以下の場合には、そのまま電力を供給し、照明機器１０の点灯を維持する。なお、分電盤２００は、測定された電流が所定の閾値を超えるか否かを判定することで負荷が適切な容量であるか否かを確認する処理を実行するテストモードを備えてもよい。
【０１００】
これにより、照明制御システム２は、負荷容量が適切でない場合に照明機器１０を消灯するので、負荷容量が適切であるか否かを容易に判別することができる。また、照明制御システム２は、配線後に回路の接続機器が変わった場合でも配線後の負荷容量が適切であるか否かを容易に判別することができるので、負荷容量を確認する手間を軽減することができる。また、照明制御システム２は、演目ごとに回路の負荷容量が変更される場合や照明機器１０にＬＥＤが採用され負荷容量が認識しにくい場合でも、負荷容量が適切であるか否かを容易に判別することができる。
【０１０１】
［その他］
上記実施形態では、分電盤１００または２００が照明制御装置５０を介して照明機器１０に対する指示を出力する例を説明したが、分電盤１００または２００は、照明制御装置５０を介さずに照明機器１０に対して指示を出力してもよい。言い換えると、分電盤１００または２００単体で、回路に接続されている照明機器１０を特定してもよい。
【０１０２】
また、上記実施形態では、照明制御システム１または２は、回路に接続される照明機器１０を特定する一例を説明したが、照明機器１０に限らず、可搬型の調光器などその他の各種の舞台装置の接続を特定してもよい。
【０１０３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１０４】
１、２  照明制御システム
１０−１〜１０−ｎ  照明機器
１３  記憶部
１４  通信部
１５  制御部
１６  光源部
２０−１〜２０−ｎ  バトン装置
２３  通信部
２４−１〜２４−ｎ  ポート
３０  ハブ
５０  照明制御装置
５１  通信部
５２  操作部
５３  記憶部
５３ａ  アドレス管理テーブル
５４  表示部
５５  制御部
１００  分電盤
１１０  通信部
１２０  記憶部
１２０ａ  接続機器管理テーブル
１２１  測定部
１２２  表示部
１２３  電源部
１２４−１〜１２４−ｎ  ブレーカ
１２５−１〜１２５−ｎ  開閉制御部
１３０  制御部
１３１  リレー制御部
１３２  取得部
１３３  特定部
２３４  算出部
２３５  通知部
２３６  出力部
【図１】
0006638488.tif 000002
【図２】
0006638488.tif 000003
【図３】
0006638488.tif 000004
【図４】
0006638488.tif 000005
【図５】
0006638488.tif 000006
【図６】
0006638488.tif 000007
【図７】
0006638488.tif 000008
【図８】
0006638488.tif 000009
【図９】
0006638488.tif 000010